(57)【要約】【課題】再生色信号処理回路を含む集積回路を改良し、集積回路内に含まれるコムフィルタ処理のオンオフをより適切に行うことにより、再生色信号の特性を向上させることができる画像信号記録再生装置を提供する。【解決手段】磁気テープから再生される低域変換色信号ＳＣＬが、メインコンバータ１２により高域色信号ＳＣＨ１に変換され、１Ｈ遅延した低域変換色信号がメインコンバータ１３により高域色信号ＳＣＨ２に変換される。信号ＳＣＨ１からＳＣＨ２を減算し、振幅を１／２とすることにより、コムフィルタ処理が行われる。切換回路１６により、コムフィルタ処理されない信号ＳＣＨ１またはコムフィルタ処理された信号ＳＣＨＣが選択される。切換回路１６の切換は、端子２７を介してＬＳＩ１の外部から独立して行うことができる。【選択図】　図１
2004015677.tif 000002
【特許請求の範囲】
【請求項１】
磁気テープから再生される低域変換色信号を高域色信号に変換する処理を行う再生色信号処理回路を含む集積回路を備えた画像信号記録再生装置において、
前記再生色信号処理回路は、
前記低域変換色信号を高域色信号に変換する第１の高域変換回路と、
前記低域変換色信号を所定時間遅延させる遅延回路と、
該遅延回路から出力される低域変換色信号を高域色信号に変換する第２の高域変換回路と、
前記第１の高域変換回路の出力信号から前記第２の高域変換回路の出力信号を減算し、振幅を１／２とする減算処理回路と、
前記第１の高域変換回路の出力信号と、前記減算処理回路の出力信号とを切り換える切換回路とを有し、
前記切換回路の切換を前記集積回路の外部から独立して行うことができるように前記集積回路を構成したことを特徴とする画像信号記録再生装置。
【請求項２】
前記磁気テープから再生される低域変換色信号が、当該画像信号記録再生装置により記録された信号か否かを判別する自己録判別手段を備え、該自己録判別手段による判別結果に応じて前記切換回路の切換制御を行うことを特徴とする請求項１に記載の画像信号記録再生装置。
【発明の詳細な説明】
【０００１】
【発明の属する技術分野】
本発明は、例えばＶＨＳ（登録商標）規格に準拠して画像信号の記録及び再生を行う画像信号記録再生装置に関し、特に再生色信号処理回路の改良に関する。
【０００２】
【従来の技術】
図３に従来の再生色信号処理回路の構成を示す。この回路は、低域変換色信号を高域色信号に変換する第１のメインコンバータ１１２と、低域変換色信号を１水平走査期間（水平同期信号の周期、以下「１Ｈ」という）遅延させる１Ｈ遅延回路１１１と、１Ｈ遅延回路１１１から出力される低域変換色信号を高域色信号に変換する第２のメインコンバータ１１３と、第１のメインコンバータ１１２の出力信号から第２のメインコンバータ１１３の出力信号を減算する減算回路１１４と、減算回路１１４の出力信号の振幅を１／２にする減衰回路１１５と、第１のメインコンバータ１１２の出力信号と、減衰回路１１５の出力信号とを切り換える切換回路１１６と、バンドパスフィルタ１１７と、基準周波数信号を生成する水晶発振回路１１９と、バンドパスフィルタ１１７の出力信号、すなわち高域色信号ＳＣＨ３のバースト信号と、基準周波数信号との位相比較を行い、位相エラー信号を出力する位相比較回路１１８と、位相エラー信号の高域成分を除去するループフィルタ１２０と、ループフィルタ１２０の出力信号により発振周波数が制御される電圧制御発振回路（以下「ＶＣＯ」という）１２１と、ＶＣＯ１２１の出力信号と、１Ｈ毎に位相が９０度ずつシフトする低域４位相信号ＳＬＬとを乗算することにより、高域４位相信号ＳＬＨ１，ＳＬＨ２を生成するサブコンバータ１２２とを備えている。高域４位相信号ＳＬＨ１及びＳＬＨ２は、それぞれ第１及び第２のメインコンバータ１１２及び１１３に供給される。
【０００３】
入力端子１２５には、磁気テープから再生された低域変換色信号ＳＣＬが入力される。第１のメインコンバータ１１２から出力される高域色信号ＳＣＨ１は、切換回路１１６の端子ｂに供給されるとともに、減算回路１１４のプラス入力に供給される。減算回路１１４のマイナス入力には、第２のメインコンバータ１１３から出力される１Ｈ遅延した高域色信号ＳＣＨ２が供給され、減算回路１１４は、信号ＳＣＨ１から信号ＳＣＨ２を減算する処理を行う。これにより、色信号成分はほぼ２倍となり、ノイズ成分は大きく減衰する。減衰回路１１５により色信号の振幅が元の大きさに戻され、いわゆるコムフィルタ処理が施された高域色信号ＳＣＨＣが得られる。この信号ＳＣＨＣは、切換回路１１６の端子ａに供給される。したがって、図示のように端子ａが選択されているとき（以下「切換回路１１６がオンのとき」という）は、コムフィルタ処理された高域色信号ＳＣＨＣが、バンドパスフィルタ１１７を介して出力高域色信号ＳＣＨ３として、出力端子１２６から出力される。一方、切換回路１１６において端子ｂが選択されているとき（以下「切換回路１１６がオフのとき」という）は、第１のメインコンバータ１１２から出力される高域色信号ＳＣＨ１、すなわちコムフィルタ処理が施されていない高域色信号ＳＣＨ１が、バンドパスフィルタ１１７を介して出力高域色信号ＳＣＨ３として、出力端子１２６から出力される。
【０００４】
切換回路１１６が図示のようにオンのときは、メインコンバータ１１２，１１３，減算回路１１４、減衰回路１１５、バンドバスフィルタ１１７、位相比較回路１１８、ループフィルタ１２０、ＶＣＯ１２１、及びサブコンバータ１２２によりＡＰＣ（自動位相制御）ループが構成され、切換回路１１６がオフのときは、メインコンバータ１１２、バンドバスフィルタ１１７、位相比較回路１１８、ループフィルタ１２０、ＶＣＯ１２１、及びサブコンバータ１２２によりＡＰＣループが構成される。ＡＰＣループにより、高域色信号ＳＣＨ３のバースト信号の位相が、水晶発振回路１１９から出力される基準周波数信号の位相と位相ロックするように制御される。
【０００５】
切換回路１１６がオンのときのＡＰＣループによる位相ジッタの改善度は、下記式（１）で表される。
【数１】
2004015677.tif 000003
ここで、φｉｎは入力される低域変換色信号ＳＣＬの位相ジッタであり、φｏｕｔは出力される高域色信号ＳＣＨ３の位相ジッタである。また、ｅ−Ｓｔ１はバンドパスフィルタ１１７の伝達関数、Ｔｗ（Ｓ）は下記式（２）で示される伝達関数、Ｃ（ｓ）は下記式（３）で示される伝達関数である。
【数２】
2004015677.tif 000004
【０００６】
ここで、ＫＰＤは位相比較回路１１８の伝達関数、Ｆ（Ｓ）はループフィルタ１２０の伝達関数、ＫＶＣＯはＶＣＯ１２１の伝達関数、ｅ−Ｓｔ２はサブコンバータ１２２の伝達関数、ｅ−ＳＴｈは１Ｈ遅延回路１１１の伝達関数である。
【０００７】
上記式（１）で示される出力位相ジッタφｏｕｔの算出式は、図４に示すＡＰＣループによる出力位相ジッタの算出式と等価である。図４のおいて１３０は、コムフィルタ処理を施すコムフィルタであり、ＡＰＣループは、メインコンバータ１１２、バンドバスフィルタ１１７、位相比較回路１１８、ループフィルタ１２０、ＶＣＯ１２１、及びサブコンバータ１２２によって構成される。
【０００８】
【発明が解決しようとする課題】
図３に示す再生色信号回路は、他の信号処理回路とともに１つのアナログ信号用集積回路内に納められており、切換回路１１６は、特殊再生時（記録のテープ走行速度と異なるテープ走行速度で再生する時）のみオフされるように構成されている。したがって、通常再生時に切換回路１１６をオフさせることができなかった。
【０００９】
そのため以下のような問題があった。
１）図３に示す１Ｈ遅延回路１１１としては、ＣＣＤ（Ｃｈａｒｇｅ　Ｃｏｕｐｌｅｄ　Ｄｅｖｉｃｅ）あるいはＢＤＬ（Ｂｉｐｏｌａｒ　Ｄｅｌａｙ　Ｌｉｎｅ）が使用されるため、１Ｈ遅延回路１１１おけるノイズが色信号のＳ／Ｎを劣化させる原因となる。そのため通常再生時に切換回路１１６をオフさせた方がよい場合があるが、それを実現できなかった。
【００１０】
２）上記式（１）では、位相エラーは現ラインと１Ｈ遅延ラインとで同一であると仮定されているが、実際には位相エラーのライン相関はないため、図４に示すようにＡＰＣループの出力側にコムフィルタ１３０を配置する構成の方が、位相ジッタの改善度が安定する場合がある。すなわち、１）と同様に通常再生時に切換回路１１６をオフさせた方がよい場合があるがあるが、それを実現できなかった。
【００１１】
本発明は上述した点を考慮してなされたものであり、再生色信号処理回路を含む集積回路を改良し、集積回路内に含まれるコムフィルタ処理のオンオフをより適切に行うことにより、再生色信号の特性を向上させることができる画像信号記録再生装置を提供することを目的とする。
【００１２】
【課題を解決するための手段】
上記目的を達成するため請求項１に記載の発明は、磁気テープから再生される低域変換色信号を高域色信号に変換する処理を行う再生色信号処理回路を含む集積回路を備えた画像信号記録再生装置において、前記再生色信号処理回路は、前記低域変換色信号を高域色信号に変換する第１の高域変換回路と、前記低域変換色信号を所定時間遅延させる遅延回路と、該遅延回路から出力される低域変換色信号を高域色信号に変換する第２の高域変換回路と、前記第１の高域変換回路の出力信号から前記第２の高域変換回路の出力信号を減算し、振幅を１／２とする減算処理回路と、前記第１の高域変換回路の出力信号と、前記減算処理回路の出力信号とを切り換える切換回路とを有し、前記切換回路の切換を前記集積回路の外部から独立して行うことができるように前記集積回路を構成したことを特徴とする。
上記「所定時間」は、記録再生する画像信号の方式に対応した１水平走査期間または２水平走査期間に対応する時間である。
【００１３】
請求項２に記載の発明は、請求項１に記載の画像信号記録再生装置において、前記磁気テープから再生される低域変換色信号が、当該画像信号記録再生装置により記録された信号か否かを判別する自己録判別手段を備え、該自己録判別手段による判別結果に応じて前記切換回路の切換制御を行うことを特徴とする。
【００１４】
【発明の実施の形態】
以下本発明の実施の形態を図面を参照して説明する。
図１は本発明の第１の実施形態にかかる、ＶＨＳ（登録商標）規格に準拠した画像信号記録再生装置の画像信号処理部の要部の構成を示すブロック図である。この画像信号処理部は、アナログ信号用画像信号処理ＬＳＩ（大規模集積回路）１と、該ＬＳＩ１の後段に配置されたディジタル信号処理ＬＳＩ２とを備えている。ＬＳＩ１は、図に示すように従来の再生色信号処理回路と同様の回路を備えている。すなわち、ＬＳＩ１に含まれる再生色信号処理回路は、低域変換色信号を高域色信号に変換する第１のメインコンバータ１２と、低域変換色信号を１Ｈ遅延させる１Ｈ遅延回路１１と、１Ｈ遅延回路１１から出力される低域変換色信号を高域色信号に変換する第２のメインコンバータ１３と、第１のメインコンバータ１２の出力信号から第２のメインコンバータ１３の出力信号を減算する減算回路１４と、減算回路１４の出力信号の振幅を１／２にする減衰回路１５と、第１のメインコンバータ１２の出力信号と、減衰回路１５の出力信号とを切り換える切換回路１６と、バンドパスフィルタ１７と、基準周波数信号を生成する水晶発振回路１９と、バンドパスフィルタ１７の出力信号、すなわち高域色信号ＳＣＨ３のバースト信号と、基準周波数信号との位相比較を行い、位相エラー信号を出力する位相比較回路１８と、位相エラー信号の高域成分を除去するループフィルタ２０と、ループフィルタ２０の出力信号により発振周波数が制御される電圧制御発振回路（以下「ＶＣＯ」という）２１と、ＶＣＯ２１の出力信号と、１Ｈ毎に位相が９０度ずつシフトする低域４位相信号ＳＬＬとを乗算することにより、高域４位相信号ＳＬＨ１，ＳＬＨ２を生成するサブコンバータ２２とを備えている。高域４位相信号ＳＬＨ１及びＳＬＨ２は、それぞれ第１及び第２のメインコンバータ１２及び１３に供給される。
【００１５】
本実施形態では、切換回路１６のオンオフを独立して切換ための切換制御信号を入力するための制御入力端子２７が設けられている。したがって、切換回路１６のオンオフ、すなわちコムフィルタ処理のオンオフを任意に制御することができる。
【００１６】
入力端子２５には、磁気テープから再生された低域変換色信号ＳＣＬが入力され、従来の回路と同様の処理がなされて、高域色信号ＳＣＨ３が端子２６から出力され、ディジタル信号処理ＬＳＩ２に入力される。
ＬＳＩ２は、２次元処理（ライン相関処理）及び３次元処理（フレーム相関処理）を行うことができるように構成されており、製品のタイプによってこれらの機能を使い分けることができる。ＬＳＩ２は、２次元処理により、コムフィルタ処理を行うことができる。
【００１７】
ＬＳＩ２の出力信号が再生色信号ＳＣＨ４として輝度信号と混合され、画像信号として出力される。
下記表１は代表的な製品のタイプについて、切換回路１６のオンオフ、ＬＳＩ２によるディジタルコムフィルタ処理を使用するか否かを示したものである。なお、表１には、輝度信号の１Ｈ遅延処理を実行するか否か、及び輝度信号に対する再生色信号の垂直方向の重心ずれ（色重心ずれ）が、参考のために示されている。
【００１８】
表１において「通常」とあるのは、通常再生時の設定を意味し、「過渡」とあるのは、通常再生から特殊再生への、またはその逆の過渡状態における設定を意味する。「ＮＴＳＣ」は、日本やアメリカなどにおけるテレビジョン信号方式（ＮＴＳＣ方式）に対応した製品を示し、「ＰＡＬ」は、ドイツやイギリスなどにおけるテレビジョン信号方式（ＰＡＬ方式）に対応した製品を示す。なお、ＰＡＬ方式では、図１の１Ｈ遅延回路１１は、ＰＡＬ方式の２Ｈ遅延回路として動作するように変更される。
【００１９】
【表１】
2004015677.tif 000005
【００２０】
表１においてＮＴＳＣ　ＨｉＦｉタイプ及びＰＡＬ　ＨｉＦｉタイプは、ディジタル信号処理ＬＳＩ２を備えていないので、ディジタルコムフィルタ処理及び輝度信号遅延処理は行われない。ＮＴＳＣ　ＨｉＦｉタイプでは、通常再生時及び過渡時にいずれにおいても切換回路１６はオンとするが、ＰＡＬ　ＨｉＦｉタイプでは、過渡時において切換回路１６がオフされる。ＰＡＬ方式では、切換回路１６をオンとすると、過渡時に色消えが起き易いからである。
【００２１】
ＮＴＳＣ　２Ｄ　ＳＶＨＳタイプは、ＬＳＩ２において２次元処理を行うタイプであり、切換回路１６は通常再生時及び過渡時のいずれにおいてもオンとし、またディジタルコムフィルタ及び輝度信号遅延処理もオンとする。ただし、通常再生時の場合、オンに「＊」が付してあり、これはオフとした方がよい場合もあることを示している。
【００２２】
ＮＴＳＣ　３Ｄ　ＳＶＨＳタイプは、ＬＳＩ２において３次元処理を行うタイプであり、このタイプには、タイムベースコレクタ（ＴＢＣ）をオンする場合とオフする場合とがある。タイムベースコレクタをオンする場合は、ＮＴＳＣ　２Ｄ　ＳＶＨＳタイプと同一の設定とし、タイムベースコレクタをオフする場合は、ディジタルコムフィルタ処理はオフとする。
【００２３】
ＰＡＬ　２Ｄ　ＳＶＨＳタイプは、ＬＳＩ２において２次元処理を行うタイプであり、切換回路１６は通常再生時及び過渡時のいずれにおいてもオフとし、またディジタルコムフィルタ及び輝度信号遅延処理をオンとする。ただし、通常再生時の場合、オフに「＊」が付してあり、これはオンとした方がよい場合もあることを示している。
【００２４】
ＰＡＬ　３Ｄ　ＳＶＨＳタイプは、ＬＳＩ２において３次元処理を行うタイプであり、このタイプには、タイムベースコレクタをオンする場合とオフする場合とがある。タイムベースコレクタをオンする場合は、ＰＡＬ　２Ｄ　ＳＶＨＳタイプと同一の設定とし、タイムベースコレクタをオフする場合は、通常再生時に切換回路１６をオンとし、ディジタルコムフィルタ処理はオフとする。
【００２５】
「＊」が付してある場合は、再生低域変換色信号ＳＣＬに含まれるクロストーク成分（磁気テープ上の隣接するトラックから再生される信号成分）の量、または１Ｈ若しくは２Ｈ遅延回路でのＳ／Ｎの悪化や歪み成分の増加の度合によって、切換回路１６をオンとた方がよい場合と、オフとした方がよい場合とがある。
【００２６】
さらにＮＴＳＣ方式の製品タイプに、ディジタルコムフィルタ処理として、３ラインコムフィルタ処理または３ラインロジカルコムフィルタ処理を採用した場合には、通常再生時に切換回路１６をオフした方がよい場合がある。３ラインコムフィルタ処理は、連続する３つの走査線に対応する信号の演算により、コムフィルタ処理を行うものであり、３ラインロジカルコムフィルタ処理は、処理対象の信号が色信号かそれ以外の成分かを判別して、適応的に処理方法を変える３ラインコムフィルタ処理である。
【００２７】
以上のように本実施形態では、ＬＳＩ１に制御入力端子２７を設け、切換回路１６を独立して任意に切換えられるようにしたので、表１に示すように製品タイプに応じて最適の設定を行うことができ、再生色信号の特性を向上させることができる。
【００２８】
（第２の実施形態）
本実施形態は、磁気テープから再生される低域変換色信号ＳＣＬが、当該画像信号記録再生装置により記録された信号か否か、すなわち自己録再生信号であるか否かを判別する自己録判別回路を、第１の実施形態に追加したものである。
【００２９】
近年、再生画質向上のために、磁気テープに信号を記録し、記録した信号を再生する磁気ヘッドとして、ジャストトラックヘッドが採用されるようになっている。ジャストトラックヘッドは、磁気テープ上のトラック幅と同一の幅を有する磁気ヘッドであり、再生時のクロストークが幅の広いヘッドに比べて少ない。特に自己録再生信号の場合、理想的にはクロストークは「０」である。
【００３０】
クロストークが少ない場合には、コムフィルタ処理によるクロストーク低減効果より、１Ｈ遅延回路を通過することによるＳ／Ｎの劣化や色重心ずれの弊害の方が大きくなるので、アナログ信号用画像信号処理ＬＳＩ１におけるコムフィルタ処理はオフとする、すなわち切換回路１６をオフとすることが望ましい。
【００３１】
そこで本実施形態では、図２に示す自己録判別回路を設けて、この判別回路による判別結果に応じて、ＬＳＩ１の切換回路１６の切換制御を行うようにしている。
【００３２】
図２に示す自己録判別回路３は、ハイパスフィルタ３１と、検波回路３２と、直流増幅回路３３と、マイクロコンピュータ（以下「マイコン」という）３４とからなる。ハイパスフィルタ３１には、ＬＳＩ１の位相比較回路１８から出力される位相誤差信号が入力され、定常位相誤差が除去される。検波回路３２により、位相誤差信号のエンベロープ信号（以下「検波信号」という）が抽出され、その検波信号が直流増幅回路３３により増幅されて、マイコン３４に入力される。マイコン３４は、増幅された検波信号のレベルを所定閾値と比較し、検波信号レベルが所定閾値より小さいとき、自己録再生信号であると判定する。なお、この判定は、オートトラッキング動作が終了し、磁気テープの走行が安定した後に行われる。オートトラッキング動作は、磁気ヘッドにより再生される再生信号のレベルが最大となるように磁気ヘッドの走査位相を制御する動作である。
【００３３】
マイコン３４は、自己録判定結果に応じて以下のように切換回路１６を制御する。
１）ＮＴＳＣ方式の装置において自己録再生信号であると判定した場合
ＬＳＩ２により、３ラインコムフィルタ処理または３ラインロジカルコムフィルタ処理を行う場合、切換回路１６をオンとし、それ以外の場合は、切換回路１６をオフとする。
２）ＮＴＳＣ方式の装置において自己録再生信号でない判定した場合
切換回路１６をオンとする。
３）ＰＡＬ方式において自己録再生信号であると判定した場合
切換回路１６をオフとする。なお、過渡状態においても同様にオフとする。
４）ＰＡＬ方式の装置において自己録再生信号でない判定した場合
切換回路１６をオンとする。
【００３４】
以上のように本実施形態では、再生色信号に基づいて自己録再生信号であるか否かを判別し、その判別結果に応じて切換回路１６のオンオフ制御を行うようにしたので、ＬＳＩ１内においてアナログ信号のコムフィルタ処理を行うか否かをより適切に制御することができ、再生色信号の特性を向上させることができる。
【００３５】
なお、自己録判別の手法は、上述したものに限るものではない。例えば、オートトラッキングより得られる磁気ヘッドの最適走査位相と、予め設定されているプリセット走査位相との関係で自己録判別を行ってもよい。すなわち、プリセット位相は、自己録再生時に最適走査位相となるように設定されているので、オートトラッキングにより得られる最適位相がプリセット走査位相を中心とする所定範囲内に入っているとき、自己録再生信号である判定する。
【００３６】
【発明の効果】
以上詳述したように請求項１に記載の発明は、磁気テープから再生される低域変換色信号を高域色信号に変換する第１の高域変換回路と、前記低域変換色信号を所定時間遅延させる遅延回路と、該遅延回路から出力される低域変換色信号を高域色信号に変換する第２の高域変換回路と、前記第１の高域変換回路の出力信号から前記第２の高域変換回路の出力信号を減算し、振幅を１／２とする減算処理回路と、前記第１の高域変換回路の出力信号と、前記減算処理回路の出力信号とを切り換える切換回路とを有し、前記切換回路の切換を前記集積回路の外部から独立して行うことができるように前記集積回路を構成したので、集積回路内でコムフィルタ処理を行うか否かを集積回路の外部から任意に切り換えることができる。したがって、画像信号の方式（ＮＴＳＣ、ＰＡＬ）や後段のディジタル信号処理回路の有無などに応じて適切な切換を行うことができ、再生色信号の特性を向上させることができる。
【００３７】
請求項２に記載の発明によれば、自己録再生信号か否かの判別が行われ、その判別結果に応じて前記切換回路の切換制御が行われるので、集積回路内においてコムフィルタ処理を行うか否かをより適切に制御することができ、再生色信号の特性を向上させることができる。
【図面の簡単な説明】
【図１】本発明の第１の実施形態にかかる画像信号記録再生装置の画像信号処理部の要部の構成を示すブロック図である。
【図２】本発明の第２の実施形態において追加される自己録判別回路の構成を示すブロック図である。
【図３】従来の再生色信号処理回路の構成を示すブロック図である。
【図４】コムフィルタをＡＰＣループの外に配置した回路構成を示すブロック図である。
【符号の説明】
１　アナログ画像信号処理ＬＳＩ
２　ディジタル信号処理ＬＳＩ
３　自己録判別回路（自己録判別手段）
１１　１Ｈ遅延回路（遅延回路）
１２　第１のメインコンバータ（第１の高域変換回路）
１３　第２のメインコンバータ（第２の高域変換回路）
１４　減算回路（減算処理回路）
１５　減衰回路（減算処理回路）
１６　切換回路
１７　バンドパスフィルタ
２７　制御入力端子
３１　ハイパスフィルタ
３２　検波回路
３３　直流増幅回路
３４　マイクロコンピュータ
【図１】
2004015677.tif 000006
【図２】
2004015677.tif 000007
【図３】
2004015677.tif 000008
【図４】
2004015677.tif 000009